(57)【要約】【課題】溶剤の供給に面倒な操作が不要であり、過不足ない適量の溶剤供給により効率良く余剰部塗膜を除去することができる感光体ドラムの余剰部塗膜除去装置を提供する。【解決手段】感光体ドラム２の下端部内周面の余剰部塗膜を除去する装置２１において、感光体ドラム２の下端部がセットされる支持体３と、支持体３の回転駆動手段４と、支持体３の軸部３ａ外周に装着されたスポンジ５と、支持体３の軸部３ａの穿設された溶剤の吐出孔７と、支持体３に穿設された導孔６を通して吐出孔７に溶剤を圧送する溶剤供給手段８と、吐出孔７からの溶剤の吐出流量を調整する流量調整ネジ１１、３０と、ロックネジ３２と、案内具３５とを具備する。【選択図】図１
2005221918.tif 000002
【特許請求の範囲】
【請求項１】
軸線を垂直にして保持された円筒状の感光体ドラムの下端部の少なくとも内周面の余剰部塗膜を除去する感光体ドラムの余剰部塗膜除去装置において、
前記軸線を垂直にして保持された円筒状の前記感光体ドラムの下端部側に設置される支持体と、
前記支持体を前記感光体ドラムに対して垂直な軸線回りに回転駆動する回転駆動手段と、
前記支持体に該支持体と一体的に回転可能に設けられると共に、前記感光体ドラム内に挿入可能に設けられ、感光体ドラムの下端部内周面に摺接して同下端部内周面の余剰部塗膜を除去する除去部材と、
前記支持体に設けられ、前記除去部材に前記塗膜除去用の溶剤を吐出する吐出孔と、
前記支持体に設けられた導孔を通して前記吐出孔に前記溶剤を圧送する溶剤供給手段とを具備したことを特徴とする感光体ドラムの余剰部塗膜除去装置。
【請求項２】
前記支持体には、前記吐出孔からの溶剤の吐出流量を調整する吐出流量調整手段が設けられていることを特徴とする請求項１に記載の感光体ドラムの余剰部塗膜除去装置。
【請求項３】
前記吐出流量調整手段は、前記支持体に形成されたネジ孔に螺合されることにより前記導孔及び吐出孔からなる流体経路に対して先端が進退可能とされ、前記先端の前記流体経路に対する進退量によって該流体流路の絞り量を調整することにより前記吐出孔からの溶剤の吐出流量を調整する流量調整ネジを備えていることを特徴とする請求項２に記載の感光体ドラムの余剰部塗膜除去装置。
【請求項４】
前記支持体は、基端部と、この基端部の回転中心部に立設され、前記感光体ドラム内に挿入される柱状の軸部とによって一体的に形成され、
前記除去部材は、前記軸部の外周面に嵌合すると共に、前記基端部上に載置された状態で前記支持体に取り付けられ、
前記導孔は、前記支持体の回転中心部を前記基端部の下面から前記軸部に上方に延在するように形成され、
前記吐出孔は、前記導孔から前記除去部材の上側の前記軸部の外周面に延在し、該外周面に開口するように形成され、
前記ネジ孔は、前記軸部の上端から前記導孔と同軸状に形成されていると共に、前記導孔と前記吐出孔との交差部内に延在するように形成され、
前記吐出流量調整手段における前記流量調整ネジは、前記ネジ孔に螺合して、前記先端が前記交差部内に進入可能に構成され、該交差部の位置で前記流体流路の絞り量を調整することにより前記吐出孔からの溶剤の吐出流量を調整するようになっていることを特徴とする請求項３に記載の感光体ドラムの余剰部塗膜除去装置。
【請求項５】
前記吐出流量調整手段は、前記流量調整ネジを下端の軸心部に一体的に有し、前記流量調整ネジを前記ネジ孔に螺合した状態において前記軸部の上端から上方に突出し、上方から下方に向けて漸次拡径するように形成された外周面によって前記感光体ドラム内への挿入を容易にする案内部を備えていることを特徴とする請求項４に記載の感光体ドラムの余剰部塗膜除去装置。
【請求項６】
前記吐出流量調整手段は、前記ネジ孔内に前記流量調整ネジの上からねじ込むことにより該流量調整ネジをネジ孔に対して固定するロックネジを備えており、
前記ロックネジにおける前記軸部の上端からの突出部には、上方から下方に向けて漸次拡径するように形成された外周面を有し、前記感光体ドラム内への挿入を容易にする案内具が螺合により設けられていることを特徴とする請求項４に記載の感光体ドラムの余剰部塗膜除去装置。
【請求項７】
前記除去部材は、スポンジによって一体的に形成されていることを特徴とする請求項１〜６のいずれかに記載の感光体ドラムの余剰部塗膜除去装置。
【請求項８】
前記除去部材は、前記感光体ドラムの内周面に当接する複数の角部と、この角部の間の非当たり面とからなる外周面を有していることを特徴とする請求項１〜７のいずれかに記載の感光体ドラムの余剰部塗膜除去装置。
【請求項９】
前記除去部材には、前記感光体ドラムの下端面に当接する受部が設けられていることを特徴とする請求項１〜８のいずれかに記載の感光体ドラムの余剰部塗膜除去装置。
【発明の詳細な説明】
【技術分野】
【０００１】
本発明は、感光体ドラムの製造工程において使用される余剰部塗膜除去装置であって、表面に浸漬塗布による塗膜（感光体層等を形成するための塗膜）が形成された感光体ドラムの端部内周面の余剰部塗膜を除去するための装置に関するものである。
【背景技術】
【０００２】
複写機、レーザービームプリンタ、ファクシミリなどの画像形成に用いられる円筒状の感光体ドラム（電子写真感光体）を製造する場合、導電性を有する円筒状基体（以下、単に「基体」ということもある）を感光層形成用液等の塗布液中に浸漬して、基体表面に塗布層（以下、「塗膜」という）を形成するのが一般的である。このような浸漬塗布法による場合、基体の表面全面に塗膜が形成されることになる。
【０００３】
ところが、感光体ドラムを電子写真装置に組み込む段階では、例えば、導通をとったり他の部品と精密な係合を行ったりする部分に塗膜が残っていると、不都合を来すことになる。従って、そのような部分である感光体ドラムの両端部の特に内周面については、塗膜除去工程（剥離工程）で余剰部塗膜を除去（剥離）している。
【０００４】
従来の塗膜除去方法として、感光体ドラムを垂直に吊り下げてその下端部を支持体の上にセットし、その状態で支持体に設けたブラシ等の除去部材を支持体と共に回転させることで、感光体ドラムの下端部内周の余剰部塗膜を除去するようにしたものがある（例えば、特許文献１参照）。この場合、除去部材に溶剤を供給する方法として、感光体ドラムの余剰部塗膜を除去する前に、支持体を一旦下降させて、除去部材を溶剤タンクに浸漬させた後、再び上昇させる方法が採られている。
【０００５】
【特許文献１】特開平９−１５２７２４号公報（図１）
【発明の開示】
【発明が解決しようとする課題】
【０００６】
しかし、溶剤タンクに一旦除去部材を浸漬させることでブラシ等の除去部材に溶剤を染み込ませる従来の方法は、除去部材を設けた支持体の昇降機構が必須であるために構造が複雑化する上、その操作が面倒であった。また、除去部材に一旦染み込ませた溶剤だけで塗膜を除去することになるので、溶剤による除去効率も悪くなりがちであった。
【０００７】
本発明は、上記事情を考慮し、溶剤の供給に面倒な操作が不要であり、過不足ない適量の溶剤供給により効率良く余剰部塗膜を除去することができ、しかも構造が簡単な感光体ドラムの余剰部塗膜除去装置を提供することを課題としている。
【課題を解決するための手段】
【０００８】
上記課題を解決するため、請求項１に記載の発明は、軸線を垂直にして保持された円筒状の感光体ドラムの下端部の少なくとも内周面の余剰部塗膜を除去する感光体ドラムの余剰部塗膜除去装置において、前記軸線を垂直にして保持された円筒状の前記感光体ドラムの下端部側に設置される支持体と、前記支持体を前記感光体ドラムに対して垂直な軸線回りに回転駆動する回転駆動手段と、前記支持体に該支持体と一体的に回転可能に設けられると共に、前記感光体ドラム内に挿入可能に設けられ、感光体ドラムの下端部内周面に摺接して同下端部内周面の余剰部塗膜を除去する除去部材と、前記支持体に設けられ、前記除去部材に前記塗膜除去用の溶剤を吐出する吐出孔と、前記支持体に設けられた導孔を通して前記吐出孔に前記溶剤を圧送する溶剤供給手段とを具備したことを特徴としている。
【０００９】
請求項２に記載の発明は、請求項１に記載の発明において、前記支持体には、前記吐出孔からの溶剤の吐出流量を調整する吐出流量調整手段が設けられていることを特徴としている。
【００１０】
請求項３に記載の発明は、請求項２に記載の発明において、前記吐出流量調整手段は、前記支持体に形成されたネジ孔に螺合されることにより前記導孔及び吐出孔からなる流体経路に対して先端が進退可能とされ、前記先端の前記流体経路に対する進退量によって該流体流路の絞り量を調整することにより前記吐出孔からの溶剤の吐出流量を調整する流量調整ネジを備えていることを特徴としている。
【００１１】
請求項４に記載の発明は、請求項３に記載の発明において、前記支持体は、基端部と、この基端部の回転中心部に立設され、前記感光体ドラム内に挿入される柱状の軸部とによって一体的に形成され、前記除去部材は、前記軸部の外周面に嵌合すると共に、前記基端部上に載置された状態で前記支持体に取り付けられ、前記導孔は、前記支持体の回転中心部を前記基端部の下面から前記軸部に上方に延在するように形成され、前記吐出孔は、前記導孔から前記除去部材の上側の前記軸部の外周面に延在し、該外周面に開口するように形成され、前記ネジ孔は、前記軸部の上端から前記導孔と同軸状に形成されていると共に、前記導孔と前記吐出孔との交差部内に延在するように形成され、前記吐出流量調整手段における前記流量調整ネジは、前記ネジ孔に螺合して、前記先端が前記交差部内に進入可能に構成され、該交差部の位置で前記流体流路の絞り量を調整することにより前記吐出孔からの溶剤の吐出流量を調整するようになっていることを特徴としている。
【００１２】
請求項５に記載の発明は、請求項４に記載の発明において、前記吐出流量調整手段は、前記流量調整ネジを下端の軸心部に一体的に有し、前記流量調整ネジを前記ネジ孔に螺合した状態において前記軸部の上端から上方に突出し、上方から下方に向けて漸次拡径するように形成された外周面によって前記感光体ドラム内への挿入を容易にする案内部を備えていることを特徴としている。
【００１３】
請求項６に記載の発明は、請求項４に記載の発明において、前記吐出流量調整手段は、前記ネジ孔内に前記流量調整ネジの上からねじ込むことにより該流量調整ネジをネジ孔に対して固定するロックネジを備えており、前記ロックネジにおける前記軸部の上端からの突出部には、上方から下方に向けて漸次拡径するように形成された外周面を有し、前記感光体ドラム内への挿入を容易にする案内具が螺合により設けられていることを特徴としている。
【００１４】
請求項７に記載の発明は、請求項１〜６のいずれかに記載の発明において、前記除去部材は、スポンジによって一体的に形成されていることを特徴としている。
【００１５】
請求項８に記載の発明は、請求項１〜７のいずれかに記載の発明において、前記除去部材は、前記感光体ドラムの内周面に当接する複数の角部と、この角部の間の非当たり面とからなる外周面を有していることを特徴としている。
【００１６】
請求項９に記載の発明は、請求項１〜８のいずれかに記載の発明において、前記除去部材には、前記感光体ドラムの下端面に当接する受部が設けられていることを特徴としている。
【発明の効果】
【００１７】
請求項１に記載の発明によれば、支持体の導孔を通して溶剤を圧送し、支持体に設けた吐出孔から除去部材に溶剤を吐出するように構成しているので、余剰部塗膜の除去工程の都度、支持体を下降させて除去部材をいちいち溶剤タンクに浸漬させるような面倒な操作が必要ない。つまり、溶剤を導孔を通してただ圧送するだけで、必要箇所に必要量の溶剤を連続供給できるので、面倒な操作が不要であり、感光体ドラム内面の余剰部塗膜除去の効率化が図られる。また、支持体の昇降装置が不要であるから、構造の簡略化が図られる。
【００１８】
請求項２に記載の発明によれば、支持体に、吐出孔からの溶剤の吐出流量を調整する吐出流量調整手段を設けているので、多数の支持体に溶剤を並列に分配圧送する場合にも、各支持体毎に吐出量を最適な量に調整することができ、多数本の感光体ドラムの余剰部塗膜を同時に除去する際の溶剤供給のバラツキを抑えることができる。
【００１９】
請求項３に記載の発明によれば、吐出流量調整手段として設けた流量調整ネジのねじ込み量を調整するような簡単な操作を行うだけで、溶剤の吐出量を調整することができる。
【００２０】
請求項４に記載の発明によれば、柱状の軸部の上端からネジ孔に螺合させた流量調整ネジを回す量で溶剤の吐出流量を調整できるので、余剰部塗膜の除去に必要な吐出流量に簡単に調整することができる。また、吐出孔を導孔から軸部の外周面に延在するように形成しているので、支持体を回転させた際の遠心力を利用しながら、スムーズに溶剤を吐出することができる。
【００２１】
請求項５に記載の発明によれば、流量調整ネジに一体的に案内部が設けられているので、この案内部を把持しながら流量調整ネジをネジ孔に容易にねじ込むことができる。また、案内部によって支持体の上部を感光体ドラム内に容易に挿入することができる。更に、案内部により、吐出孔から吐出される溶剤を除去部材に向けて誘導することも可能である。
【００２２】
請求項６に記載の発明によれば、流量調整ネジの上からロックネジをねじ込むことにより、流量調整ネジをネジ孔の所定の位置に確実に固定することができる。また、そのロックネジの突出部に案内具を取り付けたので、支持体の上部を感光体ドラム内に容易に挿入することができる。また、案内具により、吐出孔から吐出される溶剤を除去部材に向けて誘導することも可能である。
【００２３】
請求項７に記載の発明によれば、除去部材をスポンジによって一体的に形成しているので、溶剤を感光体ドラムの内周面にスムーズに供給することができ、ブラシを用いる場合に生ずる溶剤や除去後の塗膜材の跳ねを防止しながら、効率良く塗膜を除去することができる。
【００２４】
請求項８に記載の発明によれば、除去部材の外周面を角部及び非当たり面によっ形成しているので、除去部材の角部だけを感光体ドラムの内周面に当てることができ、非当たり面に沿って溶剤及び除去後の塗膜材をスムーズに流下させることができる。従って、次々に供給される常に新しい溶剤によって、感光体ドラムの内周面の塗膜を効率よく除去することができる。
【００２５】
請求項９に記載の発明によれば、除去部材に、感光体ドラムの下端面に当接する受部を設けたので、該下端面の塗膜の除去も行うことができる。また、塗膜除去作業終了後に感光体ドラムを除去部材の受部に押し付け、その後で引き上げることにより、感光体ドラムに付いている溶剤等を例えばスポンジからなる除去部材に吸収させることができ、溶剤等の後垂れを防ぐことができる。
【発明を実施するための最良の形態】
【００２６】
以下、本発明の実施形態を図面を参照して説明する。
図１は本発明の第１実施形態として示す感光体ドラムの余剰部塗膜除去装置１の構成図であり、（ａ）は要部縦断面図、（ｂ）は（ａ）のＩｂ−Ｉｂ矢視断面図である。
【００２７】
この感光体ドラムの余剰部塗膜除去装置１は、表面に浸漬塗布による塗膜が形成され、軸線を垂直にして保持された円筒状の感光体ドラム２（アルミニウム製の円筒状基体に感光層等の塗膜が形成されたもの）の下端部の少なくとも内周面の余剰部塗膜（特に図示せず）を除去する装置であって、軸線を垂直にして保持された円筒状の感光体ドラム２の下端部側に設置される支持体３を有している。この支持体３は、平歯車状の基端部３１を有しており、この基端部３１が回転駆動手段４から歯車による回転駆動力の伝達を受けて、固定的に吊り支持された感光体ドラム２に対して垂直軸線回りに回転駆動されるようになっている。
【００２８】
支持体３には、基端部３１の一方の面の回転中心部に円柱状の軸部３ａが垂直に立設されており、その軸部３ａの下部外周面に嵌合された状態で、除去部材としてのスポンジ５が、支持体３と一体的に回転可能なように装着されている。このスポンジ５は、支持体３に感光体ドラム２の下端部がセットされたとき、感光体ドラム２の下端部内に挿入されるものであり、挿入された状態で感光体ドラム２に対して回転させられることにより、感光体ドラム２の下端部内周面に摺接して、同内周面の余剰部塗膜を除去する機能を果たす。
【００２９】
支持体３には、その回転中心部に基端部３１の下端面から軸部３ａ内を上方に延在するように導孔（縦孔）６が形成されていると共に、この導孔６と交差させて軸部３ａの径方向に塗膜除去用の溶剤を吐出する吐出孔７が設けられている。この吐出孔７は、除去部材であるスポンジ５の上側において軸部３ａの外周面に開口しており、スポンジ５に溶剤を吐出する機能を果たす。また、支持体３の下端部には、導孔６内に溶剤を圧送する溶剤供給手段８が接続されている。
【００３０】
また、導孔６と吐出孔７との交差部より上側には、軸部３ａの上端から導孔６に同軸状に形成されていると共に、上記交差部内に延在するネジ孔９が形成されている。ネジ孔９は、その雌ネジ内径が導孔６の径より大きく形成されている。
【００３１】
そして、導孔６及び交差部から分岐される２つの吐出孔７からなる流体経路は、吐出流量調整手段１２によって、絞り量が調整されることにより、各吐出孔７からの溶剤の吐出流量が調整されるようになっている。
【００３２】
吐出流量調整手段１２は、ネジ孔９に螺合して先端が導孔６と吐出孔７との交差部内に進入可能に構成され、この交差部において上記流体経路の絞り量を調整することにより、各吐出孔７からの溶剤の吐出流量を調整する流量調整ネジ１１と、この流量調整ネジ１１を下端面の軸心部に一体的に有し、流量調整ネジ１１をネジ孔９に螺合した状態において軸部３ａの上端から上方に突出し、上方から下方に向けて漸次拡径するようにテーパ状に形成された外周面１０ａによって感光体ドラム２内への挿入を容易にする案内部１０とを備えた構成になっている。
【００３３】
ネジ孔９は、流量調整ネジ１１がねじ込まれると共に、案内部１０の下面が軸部３ａの上端に当接することによって閉塞されるようになっている。
【００３４】
また、上記流体経路の絞り量は、流量調整ネジ１１の軸方向の長さの異なるものを用意しておくことにより、あるいは案内部１０の下面と軸部３ａの上端との間にリング状のスペーサを挿入することにより調整可能である。
【００３５】
スポンジ５は、（ｂ）に示すように、外周面に感光体ドラム２の内周面に当接する複数の角部５ａと非当たり面５ｂとを持つ平面視多角形（図示例では長方形）の角筒状の外周面を有するように形成されており、４つの角部５ａのみを感光体ドラム２の内周面に接触させることができるようになっている。また、スポンジ５の下端外周には、感光体ドラム２の下端面に当接するフランジ状の受部５ｃが設けられ、スポンジ５の上端外周には感光体ドラム２内への挿入を容易にするための面取５ｄが設けられている。なお、このスポンジ５は、ポリエチレン等の樹脂の発泡体よりなり、弾性、溶剤の流通性、溶剤の保持性、溶剤に対する耐溶性等を有している。
【００３６】
次に作用効果を説明する。
軸線を垂直にして保持された円筒状の感光体ドラム２の下端部を支持体３にセットすると、支持体３に設けられたスポンジ５が感光体ドラム２の下端部内周に挿入される。この状態で、溶剤供給手段８から溶剤を圧送し、吐出孔７から溶剤を吐出させる（矢印Ａ）。そして、溶剤を吐出させながら、あるいは、溶剤を適当量だけ吐出させた後、支持体３を回転させる（矢印Ｂ）。そうすると、支持体３の回転に伴いスポンジ５の角部５ａが、感光体ドラム２の下端部内周面に摺接しながら回転し、それにより溶剤の作用と、スポンジ５の接触による擦り取る作用とによって、感光体ドラム２の内周面の余剰部塗膜が除去される。なお、吐出孔７は、支持体３の軸部３ａの径方向に穿設して軸部３ａの周面に開口させてあるので、支持体３を回転させた際の遠心力を利用しながら、スムーズに溶剤を吐出することができ、スポンジ５に対し溶剤を染み込ませることができる。
【００３７】
このように本余剰部塗膜除去装置１では、支持体３の導孔６を通して溶剤を圧送し、支持体３に設けた吐出孔７からスポンジ５に向けて溶剤を吐出するように構成しているので、余剰部塗膜の除去工程の都度、支持体３を下降させてスポンジ５をいちいち溶剤タンクに浸漬させるような面倒な操作が必要ない。つまり、溶剤を導孔６を通してただ圧送するだけで、必要箇所に必要量の溶剤を連続供給できるので、面倒な操作が不要であり、感光体ドラム２の内面の余剰部塗膜除去の効率化が図られる。また、支持体３の昇降装置が不要であるから、構造の簡略化が図られる。
【００３８】
また、この装置１では、除去部材としてスポンジ５を使用しているので、溶剤や除去した塗膜材の跳ねを防止しながら、溶剤により感光体ドラム２の内面の余剰部塗膜を効率良く除去することができる。また、そのスポンジ５を平面視多角形状に形成しているので、非当たり面５ｂに沿って溶剤等をスムーズに流下させることができ、次々に供給される常に新しい溶剤によって、感光体ドラム２の内周面の余剰部塗膜を効率よく除去することができる。
【００３９】
また、スポンジ５には、感光体ドラム２の下端面の当接するフランジ状の受部５ｃを設けているので、感光体ドラム２の下端面の余剰部塗膜の除去も行うことができる。また、余剰部塗膜の除去作業終了後に感光体ドラム２をスポンジ５の受部５ｃに押し付け、その後で引き上げると、感光体ドラム２に付いている溶剤等をスポンジ５に吸収させることができるので、溶剤等の後垂れを防ぐことができる。
【００４０】
更に、軸部３ａの上端側に配置される案内部１０によって支持体３の上部を感光体ドラム２内に容易に挿入することができる。しかも、案内部１０の下面によって、吐出孔７から吐出される溶剤をスポンジ５に向けて誘導することもできる。
【００４１】
一方、余剰部塗膜の除去工程は、複数本の感光体ドラム２に対して同時に行う場合が多く、そのような場合、各支持体３に溶剤を並列に圧送することになる。そうした場合、溶剤を送るための配管の長さや支持体３の設置高さ等の違いによって、各支持体３までの流路抵抗が異なったものとなり、各支持体３における溶剤の吐出量にバラツキが生ずることになる。
【００４２】
これに対して、本実施形態では、流量調整ネジ１１の先端が導孔６と吐出孔７との交差部に進入する量によって、各吐出孔７から突出する溶剤の量を調整することができるので、多数の支持体３のスポンジ５に溶剤を並列に圧送する場合にも、各スポンジ５毎に吐出量を最適な量に調整することができ、多数本の感光体ドラム２の余剰部塗膜を同時に除去する際の溶剤供給量のバラツキを抑えることができる。
【００４３】
図２は本発明の第２実施形態として示す感光体ドラムの余剰部塗膜除去装置２１の構成図であり、（ａ）は要部縦断面図、（ｂ）は（ａ）のＩＩｂ−ＩＩｂ矢視断面図である。なお、第１実施形態と共通する構成要素には同一の符号を付し、その説明を簡略化する。
【００４４】
この第２実施形態で示す感光体ドラムの余剰部塗膜除去装置２１が第１実施形態で示した感光体ドラムの余剰部塗膜除去装置１と異なる点は、吐出流量調整手段４０の構成が異なる点である。
【００４５】
即ち、ネジ孔９には、軸部３ａの上端から、先端が吐出孔７と導孔６の交差部内（溶剤の流体経路内）に突出可能とされ且つ自身のねじ込み量の加減によって吐出孔７等の流体経路に対する絞りの度合いを調節する流量調整ネジ３０がねじ込まれている。
【００４６】
この流量調整ネジ３０は、吐出孔７からの溶剤の吐出流量を調整する機能を果たすものであり、軸部３ａの上端から、例えば六角レンチ等を差し込むことにより、ねじ込み量を調節できるようになっている。また、ネジ孔９には、流量調整ネジ３０の上から、流量調整ネジ３０をネジ孔９の所定の位置に固定するためのロックネジ３２がねじ込まれている。そして、流量調整ネジ３０及びロックネジ３２によって、吐出流量調整手段４０が構成されている。
【００４７】
また、ロックネジ３２における軸部３ａの上端からの突出部には、上方から下方に向けて漸次拡径するようにテーパ状に形成された外周面３５ａ及び下面３５ｂを有し、外周面３５ａによって感光体ドラム２内への挿入を容易にする案内具３５が螺合により設けられている。
【００４８】
次に作用効果を説明する。
この余剰部塗膜除去装置２１によれば、第１実施形態の余剰部塗膜除去装置１と同様の操作により、感光体ドラム２の内周面の余剰部塗膜を効率良く除去することができる。
【００４９】
また、吐出孔７からの溶剤の吐出流量を調整する流量調整ネジ３０がネジ孔９に設けられているので、その流量調整ネジ３０のねじ込み量を調整するという簡単な操作を行うだけで、溶剤の吐出流量を調整することができる。従って、多数の支持体３に溶剤を並列圧送する場合にも、各支持体３毎に吐出流量を最適な状態に簡単に調整することができる。よって、各支持体３における溶剤の吐出量のバラツキを解消することができる。
【００５０】
また、ネジ孔９に流量調整ネジ３０の上方からねじ込まれるロックネジ３２を備えているので、流量調整ネジ３０をネジ孔９の所定の位置に確実に固定することができる。また、そのロックネジ３２における軸部３ａの上端からの突出部に案内具３５を取り付けているので、支持体３上に感光体ドラム２を吊り下ろす際に、支持体３の上部を感光体ドラム２内に容易に挿入することができる。しかも、案内具３５の下面３５ａにより吐出孔７から吐出される溶剤をスポンジ５に向けて確実に誘導することも可能である（矢印Ａ）。
【００５１】
なお、上記各実施形態では、除去部材としてスポンジ５を使用した例を示したが、ブラシや柔軟性及び耐溶剤性のある繊維からなる編織布や不織布等の布状体なども適宜選択可能である。
【図面の簡単な説明】
【００５２】
【図１】本発明の第１実施形態として示す感光体ドラムの余剰部塗膜除去装置の構成図であり、（ａ）は要部縦断面図、（ｂ）は（ａ）のＩｂ−Ｉｂ矢視断面図である。
【図２】本発明の第２実施形態として示す感光体ドラムの余剰部塗膜除去装置の構成図であり、（ａ）は要部縦断面図、（ｂ）は（ａ）のＩＩｂ−ＩＩｂ矢視断面図である。
【符号の説明】
【００５３】
１、２１  余剰部塗膜除去装置
２  感光体ドラム
３  支持体
３ａ  軸部
４  回転駆動手段
５  スポンジ（除去部材）
５ａ  角部
５ｂ  非当たり面
５ｃ  受部
６  導孔
７  吐出孔
８  溶剤供給手段
９  ネジ孔
１０  案内部
１０ａ  外周面
１２  吐出流量調整手段
３０  流量調整ネジ
３２  ロックネジ
３５  案内具
３５ａ  外周面
４０  吐出流量調整手段
【図１】
2005221918.tif 000003
【図２】
2005221918.tif 000004